(57)【特許請求の範囲】
【請求項１】
異なる種類の帽子を着衣した角度に対応した幅に髪の毛を植毛した布と、
上記帽子を挟持して上記布を上記帽子に着脱自在に装着する着脱冶具と
を備え、
上記布の髪の毛が植毛された面に上記着脱治具を取り付け、
上記着脱治具の上記布への取り付け面は、頭部表面の形状に対応した曲面である
ヘアーピース。
【請求項２】
上記着脱治具は、上記帽子のスベリ、上記帽子の裏生地のいずれかを挟持する
請求項１に記載のヘアーピース。
【請求項３】
上記着脱冶具は、左右の長手部材と上下の長手部材を１体に成型したＴ字部材を備え、
上下の長手部材の上端部には、挟み用金具を取り付けるための取り付け穴があり、
上記挟み用金具は、所定の弾性を有した材料であり、矩形の短辺の一方が開口した形状を有し、当該挟み用金具の開口端は、上記取り付け穴に嵌め込まれ、
上下の長手部材には、頭部の幅が上記挟み用金具の短辺よりも広い挟み用突出部が配置されており、上記挟み用金具を上下の長手部材側に回動させたとき、上記挟み用金具の長辺は、上記挟み用突出部の頭部に接触し、上記帽子を上記挟み用金具と上記挟み用突出部とで狭持して上記布を上記帽子に装着する
請求項１又は２に記載のヘアーピース。
【発明の詳細な説明】
【０００１】
【発明の属する技術分野】
本発明は、帽子に着脱するヘアーピースに関するものである。
【０００２】
【従来の技術】
例えば癌患者のように、一時的に髪の毛が抜けた状態となった人は、頭部全体を覆うかつらやかつら付き帽子を外出時に必要とすることが多い。
【０００３】
かつら付き帽子には、帽子に直接髪の毛を植毛したものや、布地に髪の毛を植毛したヘアーピースを帽子に取り付けたものがある。どちらのかつら付き帽子も、帽子で頭部を覆う分だけ、頭部全体を覆うかつらよりも髪の毛を植毛する量が減る。このため、かつら付き帽子は頭部全体を覆うかつらよりも通常安価である。従って、特に一時的にしか利用しない人にとっては、頭部全体を覆うかつらよりもかつら付き帽子の方が購入しやすい。
【０００４】
【発明が解決しようとする課題】
しかしながら、かつら付き帽子は、他の種類の帽子を着衣することが困難であるという問題を有する。帽子に直接髪の毛を植毛するかつら付き帽子の場合、かつら付き帽子を利用しようとする人が複数種類の帽子を着衣したいと望むときには、複数のかつら付き帽子を用意する必要が生じる。複数のかつら付き帽子を購入すると、結局費用が高くなってしまう。
【０００５】
ヘアーピースを取り付けたかつら付き帽子の場合、ヘアーピースだけを取り外して他の種類の帽子に取り付けることも不可能ではない。しかしながら、帽子の種類が異なると、帽子を頭部に着衣する角度も変わるため、特定の種類の帽子に取り付けられていたヘアーピースを他の種類の帽子に取り付けると、不自然さが生じてしまう。
【０００６】
本発明は、上述のような従来の事情に鑑みて提案されたものであって、簡単な構成で異なるタイプの帽子に共通に適用できるヘアーピースを提供することを目的とするものである。
【０００７】
【課題を解決するための手段】
本発明は上記目的を達成するために以下の手段を採用している。
【０００８】
すなわち、ヘアーピースの布に、異なる種類の帽子を着衣した角度に対応した幅だけ髪の毛を植毛する。そして、ヘアーピースに、上記帽子を挟持して上記布を上記帽子に着脱自在に装着する着脱冶具を備える。上記着脱冶具は、例えば上記布の髪の毛が植毛された面に取り付ける。さらに、上記着脱冶具の上記布への取り付け面は、頭部表面の形状に対応した曲面とするのがよい。
【０００９】
又、上記着脱治具は、上記帽子のスベリ、上記帽子の裏生地のいずれかを挟持する構成である。又、上記着脱冶具は、左右の長手部材と上下の長手部材を１体に成型したＴ字部材を備え、上下の長手部材の上端部には、挟み用金具を取り付けるための取り付け穴があり、上記挟み用金具は、所定の弾性を有した材料であり、矩形の短辺の一方が開口した形状を有し、当該挟み用金具の開口端は、上記取り付け穴に嵌め込まれ、上下の長手部材には、頭部の幅が上記挟み用金具の短辺よりも広い挟み用突出部が配置されており、上記挟み用金具を上下の長手部材側に回動させたとき、上記挟み用金具の長辺は、上記挟み用突出部の頭部に接触し、上記帽子を上記挟み用金具と上記挟み用突出部とで狭持して上記布を上記帽子に装着する構成である。
【００１０】
【発明の実施の形態】
以下、本発明の実施の形態について図面を参照しながら説明する。
【００１１】
ヘアーピースを装着する帽子には、野球帽やニット帽などの様々な種類がある。帽子の種類が異なれば、帽子を頭部に着衣する角度も変わる。例えば野球帽は、図２（ａ）に示すように、略水平の線ａ−ａ’に沿って着衣される。この場合、後頭部のほとんどは帽子から露出する。一方、ニット帽は、図２（ｂ）に示すように、後頭部から前頭部に向かう斜めの線ｂ−ｂ’に沿って着衣される。この場合、後頭部のほとんどは帽子に覆われる。つまり、帽子の種類が異なれば、ヘアーピースで頭部を覆う最低限の面積も変化する。
【００１２】
そこで、この例の場合、髪の毛を植毛する幅を、図１（ａ）に示す略水平線ａ−ａ’と斜め線ｂ−ｂ’に囲まれる領域に対応した幅だけ少なくとも確保する。図１（ｂ）に示すように、髪の毛２０は、布などの下地２に植毛される。
【００１３】
図１（ｂ）に示すヘアーピース１は、後頭部用のヘアーピースである。このヘアーピース１は、髪の毛２０が植毛された下地２の他に、着脱冶具３を備える。ここでは、３つの着脱冶具３ａ、３ｂ、３ｃが、下地２の髪の毛２０が植毛された部分より上側に取り付けられている。着脱冶具３の下地２への取り付けは、着脱冶具３を下地２に逢着或いは接着すればよい。
【００１４】
着脱冶具３は、例えば図３、図４に示すように左右の長手部材１１と上下の長手部材１２を１体に成型したＴ字部材１０を備える。上下の長手部材１２の上端部には、挟み用金具５を取り付けるための取り付け穴９がある。
【００１５】
挟み用金具５は、矩形の短辺の一方（以下、基端部５ａ）が開口した形状を有する。挟み用金具５の開口端は、取り付け穴９に嵌め込まれる。これによって、挟み用金具５は、上下の長手部材１２に基端部５ａを軸として回動自在に取り付けられる。
【００１６】
また、上下の長手部材１２には、頭部６ａの幅が挟み用金具５の短辺よりも広い挟み用突出部６が配置されている。挟み用金具５を上下の長手部材１２側に回動させたとき、挟み用金具５の長辺は、挟み用突出部６の頭部６ａに接触する。
【００１７】
挟み用金具５に所定の弾性を有した材料を利用した場合、人の指などによって挟み用金具５を挟み用突出部６側に押し込むと、挟み用金具５は弾性変形する。挟み用金具５は、弾性変形によって挟み用突出部６の分だけ広がった後、元の形状に戻る。このとき、挟み用金具５は、図４に示すように、頭部６ａによって係止される。
【００１８】
頭部６ａの形状が例えば楕円形の板状体であれば、挟み用金具５を頭部６ａ側に簡単に押し込むことができる。なお、挟み用金具５や挟み用突出部５の形状や大きさは上述の例に限られるものではない。
【００１９】
また、左右の長手部材１１の両端部、及び上下の長手部材１２の下端部には、着脱冶具３を下地２に取り付けるための取り付け穴７が設けられている。これらの取り付け穴７は、着脱冶具３を下地２に逢着する場合などに利用する。
【００２０】
着脱冶具３を下地２に取り付ける面は、挟み用金具５があるのとは逆側の面である。着脱冶具３の下地２への取り付け面８は、人の頭部表面（ここでは、後頭部の表面）の形状に対応した曲面に成型する。
【００２１】
このような着脱冶具３を用いて下地２は、帽子に装着される。以下では、上記ヘアーピース１を野球帽に装着する例を説明する。
【００２２】
帽子の内側には、帽子の形状を決めたり、人の頭部からの汗を止めを行うなどのために帯状のスベリが内側に折り込まれている。スベリは、通常帽子の開口部内周に逢着されている。ヘアーピース１を帽子に装着しようとする場合、まず図５に示すように、帽子２１の後頭部のスベリ２２を外側にめくる。これに対し、ヘアーピース１の着脱冶具３ａ、３ｂ、３ｃは、挟み用金具５を挟み用突出部６から離れる方向に回動させた状態にしておく。そして、頭部６ａがスベリ２２に当たるように帽子２１に対してヘアーピース１の位置を合わせる。
【００２３】
次に、各着脱冶具３ａ、３ｂ、３ｃの挟み用金具５を回動させてスベリ２２を挟み用金具５と挟み用突出部６とで挟む。この状態で、挟み用金具５を挟み用突出部６に押し込む。これによって、挟み用金具５と挟み用突出部６とでスベリ２２が挟まれた状態のまま挟み用金具５の位置が固定され、ヘアーピース１がスベリ２２に取り付けられる。
【００２４】
その後、図６に示すように、ヘアーピース１が取り付けられたスベリ２２をもとに戻せば、ヘアーピース１は、帽子２１に装着されたことになる。
【００２５】
このようにヘアーピース１を帽子２１に装着したとき、各着脱冶具３ａ、３ｂ、３ｃや植毛された髪の毛２０は、スベリ２２と下地２との間に挟まれた状態となる。つまり、各着脱冶具３ａ、３ｂ、３ｃや植毛された髪の毛２０は、人の頭部に直接接触しない。各着脱冶具３ａ、３ｂ、３ｃの取り付け面８の形状が人の頭部表面の形状に対応した曲面となっていることもあり、人がヘアーピース１を装着した帽子２１を頭部に着衣しても、各着脱冶具３ａ、３ｂ、３ｃによる異物感が抑えられるし、また外見上の違和感も少ない。しかも、ヘアーピース１はスベリ２２と人の頭部との間に挟まれるから、摩擦によってヘアーピース１が外れにくくなる。
【００２６】
帽子２１に装着したヘアーピース１は、挟み用金具５と挟み用突出部６によるスベリ２２の挟み込みを解除すれば、帽子２１から取り外すことができる。
【００２７】
ヘアーピース１は、もちろんニット帽など他の種類の帽子にも装着することができる。ヘアーピース１を帽子に装着するのは、帽子のスベリでなくともよい。
【００２８】
例えばニット帽のスベリにヘアーピース１を装着すると、野球帽のスベリにヘアーピース１を装着したときより、見かけ上髪の毛の長さが長くなる。このような場合に、不自然さが感じられるときには、帽子のより頭頂部側にヘアーピース１を装着することによって、その不自然さを解消することができる。この場合には、スベリではなく、例えば帽子の裏生地を挟み用金具５と挟み用突出部６とで挟んで、ヘアーピース１を帽子に装着すればよい。また、ヘアーピース１を直接帽子に装着するのではなく、帽子に別途縫い付けた布などに装着するようにしてもよい。
【００２９】
このように、着脱冶具３を用いれば、様々な帽子の色々な位置にヘアーピース１を装着することができる。また、髪の毛２０を植毛する幅は、異なる種類の帽子を着衣した角度に対応して確保されるから、帽子を着衣したときに、髪の毛のない部分が帽子から露出してしまうことも防止することができる。
【００３０】
さらに、着脱冶具３を下地２に取り付ける位置を変えることによって、見かけ上髪の毛の長さを調節することもできる。
【００３１】
なお、ヘアーピースを帽子の前頭部側に装着するならば、前髪に対応した毛を下地に植毛しておけばよい。
【００３２】
さらに、このヘアーピースは、髪の毛を失った人が利用するものに限られない。ファッションのために利用することもでき、髪の毛の色や長さ、スタイルなどはその人の好みに合わせればよい。
【図面の簡単な説明】
【図１】本発明のヘアーピースの斜視図である。
【図２】帽子のタイプを示す説明図である。
【図３】本発明のヘアーピースが備えた着脱冶具の斜視図である。
【図４】本発明のヘアーピースが備えた着脱冶具の外観図である。
【図５】本発明のヘアーピースを帽子のスベリに取り付ける様子を説明するための説明図である。
【図６】本発明のヘアーピースを帽子のスベリに取り付けた状態を示す説明図である。
【符号の説明】
１    ヘアーピース
２    下地
３ａ  着脱冶具
３ｂ  着脱冶具
３ｃ  着脱冶具
２０  髪の毛
２１  帽子
【図１】
0004889881.tif 000002
【図２】
0004889881.tif 000003
【図３】
0004889881.tif 000004
【図４】
0004889881.tif 000005
【図５】
0004889881.tif 000006
【図６】
0004889881.tif 000007